【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
通信のための方法であって、
当該方法は、
レイヤ２でブリッジされたネットワーク内のスイッチ群を連結することを有し、各スイッチは、複数のネットワークインターフェースを有するものであり、
該スイッチのうちの少なくとも一つのスチッチの、少なくとも一つのインターフェースが、第１の型のインターフェースとして構成されるように、かつ、複数のその他のインターフェースが、第２の型のインターフェースとして構成されるように、該インターフェースを構成することを有し、
該ネットワーク上の伝送のために第１および第２の型のインターフェースを通じてフレームを受信したときに、それに対応した第１および第２の型指示で、受信したフレームをラベル付けすることを有し、
該型指示に対応して、該スイッチを使用して、該レイヤ２でブリッジされたネットワークを通じて該フレームを転送することを有し、それは、第１の型指示でラベル付けされたフレームが、該インターフェースのいずれかを通じて伝送されることを許され、一方、第２の型指示でラベル付けされたフレームが、第１の型のインターフェースを通じて伝送されることを許されかつ第２の型のインターフェースを通じて伝送されることができないようにして行われるものであり、
ここで、フレームを転送することは、
与えられた宛先アドレスを含むフレームを、与えられたスイッチの第１のインターフェースを通じて受信したときに、
フォワーディングデータベース中の宛先アドレスを参照することを有し、該フォワーディングデータベースは、フレームがその第２のインターフェースを通じて転送されるべきである少なくとも一つの当該第２のインターフェースの識別、および、第１または第２の型のインターフェースと関係付けられているような宛先アドレスの型指定を含むものであり、かつ、
該第２のインターフェースを通じて該フレームを転送するかどうかを決定するために、該型指定を該フレームの型指示と比較することを有するものであり、
当該方法は、
送信元アドレスを有するフレームを、与えられたスイッチの第１のインターフェースを通じて受信することを有し、
エントリを作成することを有し、該エントリは、フレームの送信元アドレスと型指示に等しい型数字とを有するものであり、
該エントリを、前記フォワーディングデータベースに加えることを有し、かつ、
送信元アドレスおよびフレームの型指示に対応して、データベース学習プロセスを用いてフォワーディングデータベースを更新することを有する、
前記方法。
【請求項２】
レイヤ２でブリッジされたネットワークが、マルチポイントツーマルチポイント接続のために構成されており、かつ、インターフェースを構成することが、少なくとも一つのインターフェースをハブとして、および、複数の他のインターフェースをポイントツーマルチポイントトポロジーでスポークとして構成することを有する、請求項１に記載の方法。
【請求項３】
レイヤ２でブリッジされたネットワークが、少なくとも一つのイーサネットネットワークおよび仮想的なレイヤ２ネットワークを有する、請求項１に記載の方法。
【請求項４】
インターフェースを構成することが、第１または第２の型に属さないインターフェースを第３の型に割り当てることを有し、第３の型のインターフェースを通じてフレームを受信したときには、スイッチがフレームの型指示を変化させないようになっている、請求項１に記載の方法。
【請求項５】
型指定を型指示と比較することが、フレームが第２の型指示を有するならば、かつ、型指定が、宛先アドレスが第２の型のインターフェースと関係付けられていることを示すならば、該フレームを破棄することを有する、請求項１〜４のいずれか１項に記載の方法。
【請求項６】
データベースが該フレームの送信元アドレスを有するエントリを含み、かつ、該フレームが第２の型指示でラベル付けされているのと同時に、該エントリの型指定が第１の型のインターフェースと関係付けられているならば、該エントリを更新しないようにすることを有する、請求項１〜４のいずれか１項に記載の方法。
【請求項７】
エントリを更新しないようにするときに、カウンタをインクリメントすること、および、該カウンタが所定の閾値に達したときに、該エントリを更新して、第２の型のインターフェースと関係付けられた型指定を含めることを有する、請求項６に記載の方法。
【請求項８】
レイヤ２でブリッジされたネットワークにおいて連結されたスイッチ群を含む通信のための装置であって、
各スイッチは、
複数のネットワークインターフェースを有し、該複数のネットワークインターフェースは、該スイッチのうちの少なくとも一つのスイッチの、少なくとも一つのインターフェースが、第１の型のインターフェースとして構成され、かつ複数のその他のインターフェースが、第２の型のインターフェースとして構成されるようにして構成され、かつ、
各スイッチは、フレームプロセッサを有し、
ここで該フレームプロセッサは、
エントリを作成するように機能し、該エントリは、フレームの送信元アドレスと、第１のインターフェースを識別するための該フレームの型指示に等しい数字とを有するものであり、かつ、該エントリをフォワーディングデータベースに加えるように機能し、該フォワーディングデータベースは、フレームがその第２のインターフェースを通じて転送されるべきである少なくとも一つの当該第２のインターフェースの識別および、第１または第２の型のインターフェースと関係付けられているような宛先アドレスの型指定を含んでおり、
該フレームプロセッサは、
与えられた宛先アドレスを含むフレームを、与えられたスイッチの第１のインターフェースを通じて受信したときに、フォワーディングデータベース中の宛先アドレスを参照するように機能し、かつ、第２のインターフェースを通じて該フレームを転送するかどうかを決定するために、該型指定を該フレームの型指示と比較するように機能し、
該ネットワーク上の伝送のために第１および第２の型のインターフェースを通じてフレームを受信したときに、それに対応した第１および第２の型指示で、受信したフレームをラベル付けするように機能し、かつ、該インターフェースに、該型指示に対応して、該レイヤ２でブリッジされたネットワークを通じて該フレームを転送させるように機能し、それは、第１の型指示でラベル付けされたフレームが、該インターフェースのいずれかを通じて伝送されることを許され、一方、第２の型指示でラベル付けされたフレームが、第１の型のインターフェースを通じて伝送されることを許されかつ第２の型指示でラベル付けされたフレームが、第２の型のインターフェースを通じて伝送されることはできないようにして行われるものであり、かつ、
送信元アドレスおよびフレームの型指示に対応して、データベース学習プロセスを用いてフォワーディングデータベースを更新するように機能する、
前記装置。
【請求項９】
レイヤ２でブリッジされたネットワークが、マルチポイントツーマルチポイント接続のために構成され、かつ、少なくとも一つのインターフェースがハブとして構成され、一方、複数の他のインターフェースがポイントツーマルチポイントトポロジーでスポークとして構成された、請求項８に記載の装置。
【請求項１０】
レイヤ２でブリッジされたネットワークが、少なくとも一つのイーサネットネットワークおよび仮想的なレイヤ２ネットワークを有する、請求項８に記載の装置。
【請求項１１】
第１または第２の型に属さないインターフェースが第３の型に割り当てられ、かつ、該フレームプロセッサが、第３の型のインターフェースを通じてフレームを受信したときには、該フレームの型指示を変化させない、請求項８に記載の装置。
【請求項１２】
フレームが第２の型指示を含みかつ、型指定が、宛先アドレスが第２の型のインターフェースと関係付けられていることを示していれば、該フレームを破棄するように、該フレームプロセッサが構成されている、請求項８〜１１のいずれかに記載の装置。
【請求項１３】
データベースがフレームの送信元アドレスを含むエントリを含みかつ、フレームが第２の型指示でラベル付けされているのと同時に、エントリの型指定が第１の型のインターフェースと関係付けられているならば、該エントリを更新せずに該フレームを破棄するように該フレームプロセッサが構成されている、請求項８〜１１のいずれかに記載の装置。
【請求項１４】
フレームプロセッサが、フレームを破棄するときにカウンタをインクリメントするように機能し、かつ、カウンタが所定の閾値に達したときに、該エントリを更新して、第２の型のインターフェースと関係付けられた型指定を含めるように機能する、請求項１３に記載の装置。